(57)【要約】      （修正有）【課題】充電と加熱を同時に行うことができるワイヤレス充電台を提供する。【解決手段】ワイヤレス充電台は、内部に回路基板が設けられ、上に安置パネル２１が設けられ、安置パネルの上に誘導コイル又は誘導金属を有する誘導機器を載せるための２つの安置エリアが設けられる台本体と、台本体内に設けられ、安置エリアに対応して配置され、安置エリアの下に位置し、回路基板に電気的に接続され、磁界を発生し、誘導機器に電磁誘導を発生して、誘導機器を充電又は加熱することができる２組の送電コイルと、をさらに備える。ワイヤレス充電台は、２つの誘導機器を同時に充電又は加熱したり、一方の誘導機器を充電しつつ、他方の誘導機器を加熱したりすることもできる。【選択図】図２
0003227563.tif 000002
【実用新案登録請求の範囲】
【請求項１】
回路基板を備えるワイヤレス充電台であって、
内部に前記回路基板が設けられ、上に安置パネルが設けられ、前記安置パネルの上に、誘導コイル又は誘導金属を有する誘導機器を載せるための２つの安置エリアが設けられる台本体と、
前記台本体内に設けられ、前記安置エリアに対応して配置され、前記安置エリアの下に位置し、前記回路基板に電気的に接続され、磁界を発生することができ、前記誘導機器に電磁誘導を発生して、前記誘導機器を充電又は加熱する２組の送電コイルと、をさらに備える、
ことを特徴とするワイヤレス充電台。
【請求項２】
前記回路基板に電気的に接続され、それぞれ２組の前記送電コイルの動作状態を表す２つの表示灯をさらに備える、
ことを特徴とする請求項１に記載のワイヤレス充電台。
【請求項３】
前記表示灯は、３色の光を発することができる、
ことを特徴とする請求項２に記載のワイヤレス充電台。
【請求項４】
前記回路基板に電気的に接続され、それぞれ２組の前記送電コイルに対応して配置され、前記送電コイルの動作状態を制御するための２つのスイッチをさらに備える、
ことを特徴とする請求項１に記載のワイヤレス充電台。
【請求項５】
前記安置エリアに設けられ、前記回路基板に電気的に接続され、前記安置エリアの温度を検出することができる温度センサーをさらに備える、
ことを特徴とする請求項１に記載のワイヤレス充電台。
【請求項６】
前記安置エリアに設けられ、前記安置エリアに安置されたものの重さを検出することができる重量センサーをさらに備える、
ことを特徴とする請求項１に記載のワイヤレス充電台。
【請求項７】
前記安置エリアに異物検知センサーが設けられている、
ことを特徴とする請求項１に記載のワイヤレス充電台。
【請求項８】
前記台本体の底面の上に複数のゴムパッドが設けられている、
ことを特徴とする請求項１に記載のワイヤレス充電台。
【請求項９】
前記安置エリアに滑り止めマットが設けられている、
ことを特徴とする請求項１に記載のワイヤレス充電台。
【考案の詳細な説明】
【技術分野】
【０００１】
本考案は、ワイヤレス充電技術分野に関し、特にワイヤレス充電台に関する。
【背景技術】
【０００２】
ワイヤレス電磁誘導技術の発展に伴い、ワイヤレス充電は、すでに携帯電話等の端末の慣用充電方式となった。ワイヤレス充電は、電磁誘導の原理で実現する。電流がコイルに流れると、コイルで磁界が発生し、磁界の付近のコイルに対して誘導起電力が発生するため、電流が発生する。この充電方式は、変換効率が比較的に高いが、伝送距離が短く、約１０ｃｍ以内である。さらに、携帯電話などの端末の配置位置への要求が比較的に高く、コイルの位置に合わせて１対１での充電しかできない。ところで、金属の電磁誘導接触では、熱量による発熱などの現象も発生する可能性がある。
【０００３】
水コップ加熱マットは、マット内のコイルが水コップ底部の金属コーティングと電磁誘導し、エネルギーが水コップの金属コーティングに伝達され、金属コーティングの温度が高くなった後、水コップ内の水に熱量が伝達されるものである。
【考案の概要】
【考案が解決しようとする課題】
【０００４】
しかし、既存のワイヤレス充電台は、ワイヤレス充電のみが可能で、水コップ加熱マットは水コップの加熱のみが可能で、同時に両方の機能を使用することができない問題がある。
【０００５】
そのため、上記技術的な問題を解決するためのワイヤレス充電台が急ぎで必要である。
【０００６】
本考案は、充電と加熱を同時に行うことができるワイヤレス充電台を提供することを目的とする。
【課題を解決するための手段】
【０００７】
上記目的を達成するために、本考案は以下の技術案を採用する。
【０００８】
回路基板を備えるワイヤレス充電台であって、
内部に前記回路基板が設けられ、上に安置パネルが設けられ、前記安置パネルに、誘導コイル又は誘導金属を有する誘導機器を載せるための２つの安置エリアが設けられる台本体と、
前記台本体内に設けられ、前記安置エリアに対応して配置され、前記安置エリアの下に位置し、前記回路基板に電気的に接続され、磁界を発生することができ、前記誘導機器に電磁誘導を発生して、前記誘導機器を充電又は加熱する２組の送電コイルと、をさらに備えるワイヤレス充電台を提供する。
【０００９】
好ましくは、前記回路基板に電気的に接続され、それぞれ２組の前記送電コイルの動作状態を表す２つの表示灯をさらに備える。
【００１０】
好ましくは、前記表示灯は３色の光を発することができる。
【００１１】
好ましくは、前記回路基板に電気的に接続され、それぞれ２組の前記送電コイルに対応して配置され、前記送電コイルの動作状態を制御するための２つのスイッチをさらに備える。
【００１２】
好ましくは、前記安置エリアに設けられ、前記回路基板に電気的に接続され、前記安置エリアの温度を検出することができる温度センサーをさらに備える。
【００１３】
好ましくは、前記安置エリアに設けられ、前記安置エリアに安置されたものの重さを検出することができる重量センサーをさらに備える。
【００１４】
好ましくは、前記安置エリアに異物検知センサーが設けられている。
【００１５】
好ましくは、前記台本体の底面の上に複数のゴム台が設けられている。
【００１６】
好ましくは、前記安置エリアに滑り止めマットが設けられている。
【考案の効果】
【００１７】
本考案は、以下の有益な効果を有する。該本考案に係るワイヤレス充電台には、２つの安置エリアが設けられ、２つの誘導機器を同時に安置することができ、２つの誘導機器を同時に充電又は加熱したり、一方の誘導機器を充電しつつ、他方の誘導機器を加熱したりすることもできる。加熱と充電を同時に行うことができるため、該ワイヤレス充電台の応用範囲はより広くなり、また、１組の送電コイルの追加だけでこれらの機能を実現でき、構造が比較的に簡単で制作コストが低い。
【図面の簡単な説明】
【００１８】
【図１】本考案に係るワイヤレス充電台の構造模式図１（水コップが安置されている）である。
【図２】本考案に係るワイヤレス充電台の構造模式図２（滑り止めマットを含み）である。
【図３】本考案に係るワイヤレス充電台の構造模式図３（滑り止めマットを含まない）である。
【図４】本考案に係るワイヤレス充電台の構造模式図４である。
【図５】本考案に係るワイヤレス充電台の一部の構造模式図である。
【考案を実施するための形態】
【００１９】
本考案の実施例の目的、技術案及び利点をより明瞭にするため、以下、本考案の実施例に用いられる図面を参照しながら、本考案の実施例における技術案を明瞭且つ完全に説明し、説明される実施例が本考案の実施例の一部に過ぎず、すべての実施例ではないことは無論である。ここで図面を用いて示した本考案の実施例における部品は、様々な配置方法で配置、設計することが可能である。
【００２０】
このため、図面に示された本考案の実施例に対する以下の詳細な説明は、保護しようとする本考案の範囲を限定するものではなく、本考案の選択された実施例を示すものに過ぎない。本考案の実施例をもとに、当業者が創造的な働きを行わずに得たすべてのその他の実施例は、いずれも本考案の保護範囲に属する。
【００２１】
なお、同様な符号とキャラクターは、図面において同様な項目を示すため、１つの図面で定義された場合、その他の図面で当該項目をさらに定義、解釈することが不要になる。
【００２２】
本考案の説明において、「上」、「下」、「左」、「右」、「鉛直」、「水平」、「内」、「外」等の用語で表された方向又は位置関係は、図面に基づくものであり、或いは本考案に係る製品の通常の配置方向又は位置関係であり、本考案を便宜及び簡略に説明するためのものに過ぎず、該当装置又は部品が、必ず定められた方向を有したり、定められた方向に構成、操作されたり、することを明示又は暗示するものではないため、本考案を限定するものではないと理解すべきである。また、「第１」、「第２」、「第３」等の用語は、区別して説明するためのものに過ぎず、相対重要性を明示又は暗示するものではないと理解すべきである。本考案の説明において、明確且つ具体的な限定がない限り、「複数」とは、二つ以上のことを意味する。
【００２３】
さらに、本考案の説明において、明確な定義と限定がない限り、「装着」、「接続」の用語は、広義的に理解すべきである。例えば、固定接続でもよいし、取外し可能な接続でもよいし、一体的な接続でもよい。そして、機械的な接続でもよいし、電気的な接続でもよい。当業者は、本考案における上記用語の具体的な意味を、具体的な状況に応じて理解することが可能である。
【００２４】
本考案において、明確な規定及び限定がない限り、第１特徴が第２特徴の「上」又は「下」にあることは、第１特徴と第２特徴とが直接的に接触することを含んでも良いし、第１特徴と第２特徴とが直接的に接触することではなく、それらの間の別の特徴を介して接触することを含んでもよい。また、第１特徴が第２特徴の「上」、「上方」又は「上面」にあることは、第１特徴が第２特徴の真上及び斜め上にあることを含むか、或いは、単に第１特徴の水平高さが第２特徴より高いことだけを表す。第１特徴が第２特徴の「下」、「下方」又は「下面」にあることは、第１特徴が第２特徴の真下及び斜め下にあることを含むか、或いは、単に第１特徴の水平高さが第２特徴より低いことだけを表す。
【００２５】
以下に、本考案の実施例を詳細に説明する。前記実施例の例示が図に示されるが、同一又は類似する符号は、常に、同一又は類似する部品、或いは、同一又は類似する機能を有する部品を表す。以下に、図面を参照しながら説明された実施例は、例示的なものであり、本考案を解釈するためだけに用いられ、本考案を限定するものと理解してはいけない。
【００２６】
図１〜図５に示すように、本考案は、回路基板１と、台本体２と、２組の送電コイル３と、を備えるワイヤレス充電台を公開した。回路基板１は台本体２の内に設けられ、台本体２の上に安置パネル２１が設けられ、安置パネル２１の上には、誘導コイル又は誘導金属を有する誘導機器１０を載せるための２つの安置エリア２１１が設けられる。安置エリア２１１の表面には、滑り止めの効果を有する滑り止めマット６（具体的な材質は、シリコーン又はゴムなどである）が設けられ、誘導機器１０が滑り止めマット６に安置されると、滑ることがなく、誘導機器１０の自らの脱落を防げることができる。誘導コイルを有する誘導機器１０として、携帯電話などの移動端末が挙げられ、誘導金属を有する誘導機器１０として、水コップ、コーヒーコップなどが挙げられ、コップ本体の材質は、例えばセラミックやグラスなどの非金属材料である。それに、これらの誘導機器１０の底部には、通常誘導金属が設けられ、誘導金属は、加熱シートを形成し、具体的には、金属コーティング層、金属鉄片や金属膜などであり、その材質は、磁気導体を含む金属、貴金属（例えば、金、銀、白金族金属）、レアアースとプラスチックの混合フィラー、あるいはこれらの２つ以上の組み合わせである。加熱シートを設ける理由は、誘導場に範囲制限があり、このコンポーネントを設けると加熱効果を効果的に確保できるからである。
【００２７】
２組の送電コイル３は、台本体２内に設けられ、安置エリア２１１に対応して配置され、送電コイル３は、安置エリア２１１の下に位置し、回路基板１に電気的に接続され、磁界を発生することができ、誘導機器１０と電磁誘導して誘導起電力を発生する。誘導機器１０内に誘導コイルが設けられると、誘導コイルは、誘導起電力によって電流を発生し、誘導機器１０を充電する。誘導機器１０内に誘導金属が設けられると、誘導起電力によって誘導金属が発熱し、誘導機器１０を加熱する。
【００２８】
該ワイヤレス充電台には、２つの安置エリア２１１が設けられ、２つの誘導機器１０を同時に安置することができ、２つの誘導機器１０を同時に充電又は加熱したり、一方の１つの誘導機器１０を充電しつつ、他方の誘導機器１０を加熱したりすることもできる。加熱と充電を同時に行うことができるため、該ワイヤレス充電台の応用範囲はより広くなり、また、１組の送電コイルの追加だけでこれらの機能を実現でき、構造が比較的に簡単で制作コストが低い。
【００２９】
好ましくは、ワイヤレス充電台は２つの表示灯５をさらに備え、表示灯５は回路基板１に電気的に接続され、３色の光を発することができ、２つの表示灯５は、それぞれ２組の送電コイル３の例えば加熱中、充電中や異物検知などの動作状態を表す。具体的には、赤、青、緑の３色あるいは３色以上の光を発出してもよいが、それに限定されない。青色を発出する場合、誘導機器１０の加熱は完了して保温状態にあることを表し、緑色を発出する場合、充電中であることを表し、赤色を発出する場合、ワイヤレス充電台が異物を検知し、充電や加熱ができないことを表す。
【００３０】
好ましくは、ワイヤレス充電台は、安置エリア２１１に設けられ、回路基板１に電気的に接続され、安置エリア２１１の温度を検出することができる温度センサーをさらに備える。誘導機器１０を充電する場合、温度センサーは温度が第１予め設定した値に達したことを検知すると、温度が高すぎで、電気安全を保証するために、誘導機器１０への充電を停止し、冷却した後に再び充電する。誘導機器１０を加熱する場合、温度センサーは温度が第２予め設定した値に達したことを検知すると、加熱完了でさらに加熱することがしなくてもよい又は保温することを表す。
【００３１】
好ましくは、ワイヤレス充電台は、安置エリア２１１に設けられ、安置エリアに安置されたものがあるか否か又は安置されたものの重さを検出することができる重量センサーをさらに備える。検出された物品の重さに基づいて物品が誘導機器１０であるか否か、具体的に何の種類の誘導機器１０であるかを検出することができる。
【００３２】
安置エリア２１１には、異物検知センサーが設けられている。異物検知（Ｆｏｒｅｉｇｎ  Ｏｂｊｅｃｔ  Ｄｅｔｅｃｔｉｏｎ、ＦＯＤ）センサーとは、ワイヤレス充電台に設けられる回路モジュールであり、回路モジュール内の演算部又はＩＣコンポーネントにより送電コイルの動作状態前、中の関連数値をモニタして計算して品質因子Ｑ（Ｑｕａｌｉｔｙ  Ｆａｃｔｏｒ）であるＱ値を算出する。ここで、Ｑ値は、数式Ｑ＝ωＬ／Ｒで算出し、そのうち、
ω−動作角周波数；
Ｌ−コイルのインダクタンス；
Ｒ−コイルの総損失抵抗。
【００３３】
回路モジュール内の演算部又はＩＣコンポーネントがＱ値を測定した後、
１．電力伝送を起動する前に、演算部又はＩＣコンポーネントは送電コイルのＱ値を測定し、
２．このＱ値を受信側（誘導機器１０）に送信し、
３．送電コイルのＱ値の出力閾値を決定し、
４．送電中に送電コイルのＱ値が出力閾値より小さいと検出した場合、出力を終了する。
【００３４】
充電台の動作説明：
電源オフの状態で、誘導機器１０（携帯電話）を安置エリア２１１に安置し、回路モジュールはこの誘導機器がワイヤレス充電の基準を満たしているか否かを自動的に識別し、満たしている場合はワイヤレス充電機能を自動的に起動する。
【００３５】
加熱又は保温機能を行う際に、ワイヤレス充電台をオンにし、手動で保温モードに切り替え、（この機能は、ＦＯＤ機能をオフにし、加熱機能が作動しないことを防ぐことを目的とする）誘導機器１０（水コップ）を安置エリア２１１に安置したら、充電台は加熱機能を行うことができる。
【００３６】
充電モードで、他の金属物品が近づいたとき、ＦＯＤ機能が常に検知状態にあるため、外部金属物品が近づくと、送電コイルのＱ値が影響を受けて定格の出力閾値より小さくなるため、充電機能が一時停止され、外部金属物品（妨害物）を取り除いた後に自動的に充電を回復する。
【００３７】
好ましくは、ワイヤレス充電台は、回路基板１に電気的に接続され、それぞれ２組の送電コイル３に対応して配置され、送電コイル３の動作状態を制御するための２つのスイッチ４をさらに備え、スイッチ４でワイヤレス充電台を保温モードに切り替え、水コップを加熱することができる。好ましくは、本実施例のスイッチ４は手動スイッチであり、スイッチ４は３つのモードがあり、１つはオフモードで、該モードに位置するとき、送電コイル３は動作しない、もう１つは充電モードで、このモードに位置するとき、送電コイル３は誘導機器１０に充電でき、３つ目は加熱モードで、このモードに位置するとき、送電コイル３は誘導機器１０を加熱でき、誘導機器を加熱又は保温する。他の実施例において、スイッチ４は自動スイッチ４であってよく、温度センサー、重量センサー及び異物センサーによって、安置エリア２１１に安置されている物品が誘導機器１０であるか否か、具体的に何の種類の誘導機器１０であるかを判断するが共同で判断される。そして、スイッチ４を制御して対応するモードに切り替える。
【００３８】
台本体２の底面に複数のゴムパッド２２が設けられ、本実施では、台本体２に４つのゴムパッド２２が設けられ、ゴムパッド２２は支持と滑り止めの役割を果たす。
【００３９】
明らかなように、本考案の上記実施例は、本考案を説明するための好ましい実施例にすぎず、本考案はそれに限定されず、当業者にとって、上記説明を基礎に様々な変更及び変化を実施してもよい。ここですべての実施例を列挙する必要がないしできない。本考案の精神と原則内で行われる任意の修正、同等の代替、改良などは、すべて本考案請求の保護範囲内に含まれる。
【符号の説明】
【００４０】
１０  誘導機器
１  回路基板
２  台本体
２１  安置パネル
２１１  安置エリア
２２  ゴムパッド
３  送電コイル
４  スイッチ
５  表示灯
６  滑り止めマット
【図１】
0003227563.tif 000003
【図２】
0003227563.tif 000004
【図３】
0003227563.tif 000005
【図４】
0003227563.tif 000006
【図５】
0003227563.tif 000007